(57)【要約】【課題】本発明の課題は、擬人化された物品の顔や手などの露出された部分が変色することにより、その使用者自身の顔や手などの露出された部分との連想が容易にでき、また鞄などの紫外線が直接照射される携帯物品の外部に取り付けられることにより、容易に紫外線照度の測定ができ、使用者の紫外線に対する意識を向上することができる紫外線照度測定物品を提供することにある。【解決手段】本発明は、擬人化された物品と、前記物品の人の肌が露出された部分に塗布された紫外線の照射量に応じて淡色から濃色に段階的に変色する紫外線感応剤とを具備することを特徴とするものである。【選択図】      図１
2005055347.tif 000002
【特許請求の範囲】
【請求項１】
擬人化された物品と、
前記物品の人の肌が露出された部分に塗布された紫外線感応剤と
を具備することを特徴とする紫外線照度測定物品。
【請求項２】
紫外線感応剤として、紫外線の照射量に応じて淡色から濃色に段階的に変色する紫外線感応剤を用いることを特徴とする請求項１記載の紫外線照度測定物品。
【請求項３】
擬人化された物品として、携帯物品の外部に取り付けられるように構成された擬人化された物品を用いることを特徴とする請求項１又は２記載の紫外線照度測定物品。
【請求項４】
請求項２記載の紫外線照射測定物品を用い、擬人化された物品の人の肌が露出された部分の変色した色度合いから紫外線照度の判別を行うことを特徴とする紫外線照度測定方法。
【発明の詳細な説明】
【技術分野】
【０００１】
本発明は、擬人化された物品の顔や手などの露出された部分に紫外線感応剤が塗布された紫外線照度測定物品及びその紫外線照度測定物品を用いた紫外線照度測定方法に関するものである。
【背景技術】
【０００２】
従来の技術として、紫外線照度の判別方法において、その紫外線照度を数値で表すものや、携帯性を持たせるためにその形状がカード型であり、そのカード上に表示装置が配置され、その表示装置の色が淡色から濃色へと変化することでその紫外線照度を表示するものが知られている（例えば、特許文献１参照。）。
【特許文献１】特開平１０−１２２９５２号公報
【発明の開示】
【発明が解決しようとする課題】
【０００３】
しかしながら、従来の技術では携帯性には優れているものの、その形状がカード型であることから財布やバックなどの紫外線が直接照射されない場所に入れていることが多く、紫外線意識を高めるには不十分であった。
【０００４】
本発明は上記の事情に鑑みてなされたもので、擬人化された物品の顔や手などの露出された部分が変色することにより、その使用者自身の顔や手などの露出された部分との連想が容易にでき、また鞄などの紫外線が直接照射される携帯物品の外部に取り付けられることにより、容易に紫外線照度の測定ができ、使用者の紫外線に対する意識を向上することができる紫外線照度測定物品及び紫外線照度測定方法を提供することを目的とする。
【課題を解決するための手段】
【０００５】
上記目的を達成するために本発明の紫外線照度測定物品は、擬人化された物品と、前記物品の人の肌が露出された部分に塗布された紫外線感応剤とを具備することを特徴とするものである。
【０００６】
また本発明は、前記紫外線照度測定物品において、紫外線感応剤として、紫外線の照射量に応じて淡色から濃色に段階的に変色する紫外線感応剤を用いることを特徴とするものである。
【０００７】
また本発明は、前記紫外線照度測定物品において、擬人化された物品として、携帯物品の外部に取り付けられるように構成された擬人化された物品を用いることを特徴とするものである。
【０００８】
また、本発明の紫外線照度測定方法は、請求項２記載の紫外線照射測定物品を用い、擬人化された物品の人の肌が露出された部分の変色した色度合いから紫外線照度の判別を行うことを特徴とする。
【発明の効果】
【０００９】
本発明の紫外線照度測定物品及び紫外線照度測定方法は、擬人化された物品の顔や手などの露出された部分が変色することにより、その使用者自身の顔や手などの露出された部分との連想が容易にでき、また鞄などの紫外線が直接照射される携帯物品の外部に取り付けられることにより、容易に紫外線照度の測定ができ、使用者の紫外線に対する意識を向上することができる。
【発明を実施するための最良の形態】
【００１０】
以下図面を参照して本発明の実施の形態例を詳細に説明する。
【００１１】
図１は本発明の実施形態例に係る紫外線照度測定物品の変色前の状態を示す構成図であり、図２は本発明の実施形態例に係る紫外線照度測定物品の変色後の状態を示す構成図である。図において、１０はキーホルダー、１１は取付部材、１２は擬人化された物品、１３は人の肌が露出された顔部分、１４は人の肌が露出された首部分、１５は人の肌が露出された手部分、１６は人の肌が露出されていない部分である。服を着た人間の上半身を模擬した擬人化された物品１２には取付部材１１が取り付けられる。取付部材１１は金属の鎖の一端に金属のリングが一体に取り付けられ、前記鎖の他端には擬人化された物品１２の頭部の上端が取り付けられる。擬人化された物品１２の人の肌が露出された顔部分１３，首部分１４，手部分１５には紫外線の照射量に応じて淡色（白色）から濃色（黒色）に段階的に変色する紫外線感応剤が塗布される。このような紫外線感応剤としては、無機化合物のＨｇ２Ｓ２Ｉ２・ＺｎＳ等、及び有機化合物のアゾベンゼン，サリチリデンアニリン，アントラセン，トリフェニルメタン，フリキド，スチルベン，サリチルアルデヒド等がある。
【００１２】
すなわち、図１に示すような、キーホルダー１０の擬人化された物品１２に紫外線が照射されると、擬人化された物品１２の人の肌が露出された顔部分１３，首部分１４，手部分１５の紫外線感応剤が紫外線の照射量に応じて淡色（白色）から濃色（黒色）に段階的に変色し、図２に示すように、擬人化された物品１２の人の肌が露出された顔部分１３，首部分１４，手部分１５が濃色（黒色）になる。
【００１３】
したがって、擬人化された物品１２の人の肌が露出された顔部分１３，首部分１４，手部分１５が紫外線照射前は淡色（白色）で、紫外線の照度が高くなるにつれしだいに濃色（黒色）になることで、変色した色度合いから紫外線照度の判別を容易に行うことができる。このため、屋内外における紫外線照度の測定方法として用いることができる。また、擬人化された物品１２の人の肌が露出された顔部分１３，首部分１４，手部分１５が変色することで、その使用者自身の顔、首、手の露出された部分への紫外線の影響度合いを容易に連想することができる。
【００１４】
図３は本発明の実施形態例に係る紫外線照度測定物品の使用例を示す構成図である。図において、１０は図１，２のキーホルダー、１７は携帯用の鞄である。
【００１５】
すなわち、携帯用の鞄１７の把持用紐にはキーホルダー１０が外部に露出して取り付けられる。このように、キーホルダー形状となっていることから鞄の紐などの紫外線に直接照らされる適当な箇所に取り付けが可能なため、容易に紫外線照度を測定することができる。
【００１６】
紫外線感応剤を用いた紫外線照度測定物品を擬人化、またキーホルダー化することにより、容易に紫外線照度の測定ができ、使用者の紫外線に対する意識を向上することができる。
【００１７】
尚、上記実施形態例では紫外線照度測定物品としてキーホルダーについて説明したが、これに限らず例えばストラップにして携帯電話に取り付ける等の携帯物品の外部に取り付けられるように構成された擬人化された物品を用いることができる。
【産業上の利用可能性】
【００１８】
擬人化された物品を使用者の服装に合わせてノースリーブ、半ズボン、水着等にすることにより、用途に合わせて擬人化された物品を選択することができる。
【００１９】
尚、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００２０】
【図１】本発明の実施形態例に係る紫外線照度測定物品の変色前の状態を示す構成図である。
【図２】本発明の実施形態例に係る紫外線照度測定物品の変色後の状態を示す構成図である。
【図３】本発明の実施形態例に係る紫外線照度測定物品の使用例を示す構成図である。
【符号の説明】
【００２１】
１０…キーホルダー、１１…取付部材、１２…擬人化された物品、１３…人の肌が露出された顔部分、１４…人の肌が露出された首部分、１５…人の肌が露出された手部分、１６…人の肌が露出されていない部分、１７…携帯用の鞄。
【図１】
2005055347.tif 000003
【図２】
2005055347.tif 000004
【図３】
2005055347.tif 000005